(57)【特許請求の範囲】
【請求項１】
同一平面上に配置された３本以上の導電端子２ａ，２ｂ，…の上部間をそれぞれヒューズの通電容量に応じた溶断部１，…にて導通状態に連結すると共に各導電端子２ａ，２ｂ，…の上部から接続片３ａ，３ｂ，…を張り出させた多極型端子２を左右に一対一定間隔を存して対称的に配置し、当該両多極型端子２，２間に、電源用、複数の遮断信号用およびアース用の各オス端子４ａ，４ｂおよび４ｃからなるオス端子群４を前記両多極型端子２，２と平行に配置し、当該オス端子群４の上部と前記複数の各導電端子２ａ，２ｂ，…上部の接続片３ａ，３ｂ，…との間を、レアショートを判断する判断部８を介して連結したことを特徴とするレアショート判断機能付き多極型ヒューズ素子。
【請求項２】
同一平面上に配置された３本の導電端子２ａ，２ｂ，２ｂ’の上部間をそれぞれヒューズの通電容量に応じた薄肉状溶断部１，１’にて導通状態に連結すると共に該３本の導電端子２ａ，２ｂ，２ｂ’の上部の異なる位置からそれぞれ薄肉状の接続片３ａ，３ｂ，３ｂ’を側方に張り出させた多極型端子２と、同じく同一平面上に配置された３本の導電端子２０ａ，２０ｂ，２０ｂ’の上部間をそれぞれヒューズの通電容量に応じた薄肉状溶断部１０，１０’にて導通状態に連結すると共に該３本の導電端子２０ａ，２０ｂ，２０ｂ’の上部の異なる位置から薄肉状の接続片３０ａ，３０ｂ，３０ｂ’を側方に張り出させた多極型端子２０とを左右に一対一定間隔を存して対称的に配置し、当該両多極型端子２，２０間に、上部をそれぞれ薄肉状の接続部５ａとした電源用オス端子４ａ、同じく上部を薄肉状の接続部５ｂ，５ｂ’，５０ｂ，５０ｂ’とした遮断信号用オス端子４ｂ，４ｂ’，４０ｂ，４０ｂ’および同じく上部を薄肉状の接続部５ｃとしたアース用オス端子４ｃの６本からなるオス端子群４を前記両多極型端子２，２０と平行に配置し、当該６本の各オス端子上部の各接続部５ａ，５ｂ，５ｂ’，５０ｂ，５０ｂ’，５ｃと前記６本の各導電端子上部の薄肉状の接続片３ａ，３ｂ，３ｂ’，３０ａ，３０ｂ，３０ｂ’との間をレアショートを判断する判断部８を介して連結したことを特徴とするレアショート判断機能付き多極型ヒューズ素子。
【請求項３】
請求項２記載のレアショート判断機能付き多極型ヒューズ素子における６本の各オス端子４ａ，４ｂ，４ｂ’，４０ｂ，４０ｂ’，４ｃの内、電源用オス端子４ａ上部の接続部５ａを判断回路８の電源供給端子８ａと接続し、遮断信号用オス端子４ｂ上部の接続部５ｂを判断部８の継電器１７ａに対する異常判断出力端子８ｂと接続し、アース用オス端子４ｃ上部の接続部５ｃを判断部８のアース端子８ｃと接続し、導電端子２ａ，２ｂ，２ｂ’上部の薄肉状の接続片３ａ，３ｂ，３ｂ’をぞれぞれ判断部８の入力端子８ｅ，８ｄ，８ｄ’と接続すると共に、他の各オス端子４ｂ’，４０ｂ，４０ｂ’上部の接続部５ｂ’，５０ｂ，５０ｂ’をそれぞれ判断回路８の継電器１７ａ，１７ｂ，１７ｃに対する異常判断出力端子８ｂ’，８０ｂ，８０ｂ’と接続し、導電端子２０ａ，２０ｂ，２０ｂ’の上部の薄肉状の接続片３０ａ，３０ｂ，３０ｂ’をそれぞれ判断部８の入力端子８０ｅ，８０ｄ，８０ｄ’と接続し、前記６本の各オス端子４ａ，４ｂ，４ｂ’，４０ｂ，４０ｂ’，４ｃの上部と前記６本の各導電端子２ａ，２ｂ，２ｂ’，２０ａ，２０ｂ，２０ｂ’の上部および判断部８とを耐熱・絶縁性ハウジング１５にて保持したことを特徴とするレアショート判断機能付き多極型ヒューズ。
【請求項４】
請求項２記載のレアショート判断機能付き多極型ヒューズ素子二つを、それぞれの多極型端子２，２０とオス端子群４が同一平面上にて外方を向くように配置し、両多極型ヒューズにおける各オス端子４ａ，４ｂ，４ｂ’，４０ｂ，４０ｂ’，４ｃの内、電源用オス端子４ａ上部の接続部５ａを判断回路８の電源供給端子８ａと接続し、遮断信号用オス端子４ｂ上部の接続部５ｂを判断部８の継電器１７ａに対する異常判断出力端子８ｂと接続し、アース用オス端子４ｃ上部の接続部５ｃを判断部８のアース端子８ｃと接続し、導電端子２ａ，２ｂ，２ｂ’上部の薄肉状の接続片３ａ，３ｂ，３ｂ’をぞれぞれ判断部８の入力端子８ｅ，８ｄ，８ｄ’と接続すると共に、他の各オス端子４ｂ’，４０ｂ，４０ｂ’上部の接続部５ｂ’，５０ｂ，５０ｂ’をそれぞれ判断回路８の継電器１７ａ，１７ｂ，１７ｃに対する異常判断出力端子８ｂ’，８０ｂ，８０ｂ’と接続し、導電端子２０ａ，２０ｂ，２０ｂ’の上部の薄肉状の接続片３０ａ，３０ｂ，３０ｂ’をそれぞれ判断部８の入力端子８０ｅ，８０ｄ，８０ｄ’と接続し、前記二つの多極型ヒューズ素子の各オス端子４ａ，４ｂ，４ｂ’，４０ｂ，４０ｂ’，４ｃの上部と各導電端子２ａ，２ｂ，２ｂ’，２０ａ，２０ｂ，２０ｂ’の上部および判断部８とを一つの耐熱・絶縁性ハウジング１５にて保持したことを特徴とするレアショート判断機能付き多極型ヒューズ。
【請求項５】
請求項４記載のレアショート判断機能付き多極型ヒューズ素子において、それぞれ外方を向いている多極型端子２，２０とオス端子群４が、下方にほぼ直角に折り曲げられて差込式端子に形成され、または、下方にほぼ直角に折り曲げた後その先端部を外方に向けて水平に折り曲げて形成されているレアショート判断機能付き多極型ヒューズ。
【請求項６】
請求項３記載のレアショート判断機能付き多極型ヒューズの連続製造方法であって、長手方向に沿って一側部または中央部あるいは両側部に所定幅の薄肉部１９を形成した１枚の導電板からなる長尺状ヒューズ材料１８を間欠的に移送しつつ所定長さに打ち抜くに際し、左右一対の多極型端子２および２０における導電端子２ａ，２ｂ，２ｂ’および２０ａ，２０ｂ，２０ｂ’とその中間の６本のオス端子４ａ，４ｂ，４ｂ’，４０ｂ，４０ｂ’，４ｃからなるオス端子群４を、長尺状ヒューズ材料１８の他側部または両側部あるいは中央部から、他側端縁または両側端縁あるいは中央部の非打抜部分１８ａを除いて長手方向と直交する方向に同時に打ち抜き、続いて、前記両多極型端子２，２０上部の薄肉状溶断部１，１’および１０，１０’と薄肉状の各接続片３ａ，３ｂ，３ｂ’ならびに３０ａ，３０ｂ，３０ｂ’と共に、前記オス端子群４上部の薄肉状の接続部５ａ，５ｂ，５ｂ’，５０ｂ，５０ｂ’，５ｃを長尺状ヒューズ材料１８の薄肉部１９から同時または数回に分けて打ち抜き、前記オス端子群４上方の薄肉状の接続部５ａ，５ｂ，５ｂ’，５０ｂ，５０ｂ’，５ｃと前記両多極型端子２，２０上部の薄肉状の接続片３ａ，３ｂ，３ｂ’，３０ａ，３０ｂ，３０ｂ’との間をレアショートを判断する判断部８を介して連結し、前記オス端子群４の上部と前記両多極型端子２，２０の上部および前記判断部８とを一つの耐熱・絶縁性ハウジング１５にて包むように保持した後、各端子間の下端部を繋いでいる長尺状ヒューズ材料１８の他側端縁または両側端縁あるいは中央部の非打抜部分１８ａを打ち抜いて分離することを特徴とするレアショート判断機能付き多極型ヒューズの連続製造方法。
【発明の詳細な説明】
【０００１】
【発明の属する技術分野】
本発明は、主として自動車用として使用される差し込み式のレアショート判断機能付き多極型ヒューズに関するものである。
【０００２】
【従来の技術】
従来、自動車の電気系統中に多数使用されているブレード型ヒューズは、多くの場合スローブロー特性（瞬間的な過電流によってはヒューズの溶断は起こらず、過電流が一定時間継続した場合、すなわち過電流が継続すると火災等の危険性のある場合に溶断して危険を未然に防止する機能）を備えている。
【０００３】
このため、デッドショート時にはヒューズは溶断するが、ヒューズが溶断しない程度の小さい連続的なショートまたは大きくても短時間の断続的なショート（以下、これらのショートを「レアショート」という）領域ではヒューズは溶断しないため、この状態が続くと車両火災が発生する可能性がある。
【０００４】
この状態を解決する手段として、本発明者は先にレアショートを検出するセンサー付きヒューズを開発し出願（特願平９−３０３５４１号）すると共に、このセンサー付きヒューズをさらに改良したものとして、図９に示すような、同一平面上に配置された左右一対の導電端子２ａ，２ｂの上半部間をヒューズの通電容量に応じた薄肉状溶断部１にて導通状態に連結すると共に該薄肉状溶断部１の下方に薄肉状の接続片３ａ，３ｂを内側に張り出させ、当該導電端子２ａ，２ｂの下半部間であって当該接続片３ａ，３ｂの下方の位置に薄肉状の電源用オス端子４ａ、薄肉状の遮断信号用オス端子４ｂおよび薄肉状のアース用オス端子４ｃの３本を独立させて平行に配置し、前記３本の各薄肉状オス端子４ａ，４ｂ，４ｃと前記接続片３ａ，３ｂとの間をレアショートを判断する判断部８を介して連結したレアショート判断機能付きヒューズ素子を開発し、このヒューズ素子における前記各薄肉状オス端子４ａ，４ｂ，４ｃの上端部より上方を耐熱・絶縁性ハウジング１５にて保持したレアショート判断機能付きヒューズＦ’を開発し出願（特願平１０−９０８６６号）している。
【０００５】
前記出願中のレアショート判断機能付きヒューズＦ’は、図１０に示すように、複数の各負荷Ａ，Ｂ，Ｃに対応してバッテリー１６直後に設置された一つの継電器１７との間に並列に配置され、Ａ，Ｂ，Ｃいずれかの負荷においてレアショートが発生した時には継電器１７により全回路が遮断されるように自動車の電気配線中に組み込まれる。
【０００６】
また、図１１に示すように、複数の各負荷Ａ，Ｂ，Ｃに対応してそれぞれレアショート判断機能付きヒューズＦ’が負荷と同数の継電器１７ａ，１７ｂ，１７ｃと対をなして並列に配置され、Ａ，Ｂ，Ｃいずれかの負荷においてレアショートが発生した時には、アショートが発生した回路のみが遮断されるように自動車の電気配線中に組み込まれる。
【０００７】
【発明が解決しようとする課題】
前記出願中のレアショート判断機能付きヒューズＦ’は、一対の導電端子２ａ，２ｂ間に、レアショートを判断する判断部８が組み込まれているもので、一つのヒューズＦ’により一つの負荷におけるレアショートの判断しかできないものであるため、各負荷に対応させて負荷の数だけ判断部８を備えたレアショート判断機能付きヒューズＦ’を電気配線中に組み込む必要があった。
【０００８】
【課題を解決するための手段】
本発明は、一つの判断部８に対して複数対の導電端子２ａ，２ｂ，…を接続して一つのレアショート判断機能付き多極型ヒューズとし、複数の負荷に対して一つの判断部にて対応できるようにすることにより、前記問題点を解決したものである。
【０００９】
すなわち、本発明の第１は、同一平面上に配置された３本以上の導電端子２ａ，２ｂ，…の上部間をそれぞれヒューズの通電容量に応じた溶断部１，…にて導通状態に連結すると共に各導電端子２ａ，２ｂ，…の上部から接続片３ａ，３ｂ，…を張り出させた多極型端子２を左右に一対一定間隔を存して対称的に配置し、当該両多極型端子２，２間に、電源用、複数の遮断信号用およびアース用の各オス端子４ａ，４ｂおよび４ｃからなるオス端子群４を前記両多極型端子２，２と平行に配置し、当該オス端子群４の上部と前記複数の各導電端子２ａ，２ｂ，…上部の接続片３ａ，３ｂ，…との間を、レアショートを判断する判断部８を介して連結したレアショート判断機能付き多極型ヒューズ素子である。
【００１０】
本発明の第２は、同一平面上に配置された３本の導電端子２ａ，２ｂ，２ｂ’の上部間をそれぞれヒューズの通電容量に応じた薄肉状溶断部１，１’にて導通状態に連結すると共に該３本の導電端子２ａ，２ｂ，２ｂ’の上部の異なる位置からそれぞれ薄肉状の接続片３ａ，３ｂ，３ｂ’を側方に張り出させた多極型端子２と、同じく同一平面上に配置された３本の導電端子２０ａ，２０ｂ，２０ｂ’の上部間をそれぞれヒューズの通電容量に応じた薄肉状溶断部１０，１０’にて導通状態に連結すると共に該３本の導電端子２０ａ，２０ｂ，２０ｂ’の上部の異なる位置から薄肉状の接続片３０ａ，３０ｂ，３０ｂ’を側方に張り出させた多極型端子２０とを左右に一対一定間隔を存して対称的に配置し、当該両多極型端子２，２０間に、上部をそれぞれ薄肉状の接続部５ａとした電源用オス端子４ａ、同じく上部を薄肉状の接続部５ｂ，５ｂ’，５０ｂ，５０ｂ’とした遮断信号用オス端子４ｂ，４ｂ’，４０ｂ，４０ｂ’および同じく上部を薄肉状の接続部５ｃとしたアース用オス端子４ｃの６本からなるオス端子群４を前記両多極型端子２，２０と平行に配置し、当該６本の各オス端子上部の各接続部５ａ，５ｂ，５ｂ’，５０ｂ，５０ｂ’，５ｃと前記６本の各導電端子上部の薄肉状の接続片３ａ，３ｂ，３ｂ’，３０ａ，３０ｂ，３０ｂ’との間をレアショートを判断する判断部８を介して連結したレアショート判断機能付き多極型ヒューズ素子である。
【００１１】
本発明の第３は、前記第２の発明に係るレアショート判断機能付き多極型ヒューズ素子における６本の各オス端子４ａ，４ｂ，４ｂ’，４０ｂ，４０ｂ’，４ｃの内、電源用オス端子４ａ上部の接続部５ａを判断回路８の電源供給端子８ａと接続し、遮断信号用オス端子４ｂ上部の接続部５ｂを判断部８の継電器１７ａに対する異常判断出力端子８ｂと接続し、アース用オス端子４ｃ上部の接続部５ｃを判断部８のアース端子８ｃと接続し、導電端子２ａ，２ｂ，２ｂ’上部の薄肉状の接続片３ａ，３ｂ，３ｂ’をぞれぞれ判断部８の入力端子８ｅ，８ｄ，８ｄ’と接続すると共に、他の各オス端子４ｂ’，４０ｂ，４０ｂ’上部の接続部５ｂ’，５０ｂ，５０ｂ’をそれぞれ判断回路８の継電器１７ａ，１７ｂ，１７ｃに対する異常判断出力端子８ｂ’，８０ｂ，８０ｂ’と接続し、導電端子２０ａ，２０ｂ，２０ｂ’の上部の薄肉状の接続片３０ａ，３０ｂ，３０ｂ’をそれぞれ判断部８の入力端子８０ｅ，８０ｄ，８０ｄ’と接続し、前記６本の各オス端子４ａ，４ｂ，４ｂ’，４０ｂ，４０ｂ’，４ｃの上部と前記６本の各導電端子２ａ，２ｂ，２ｂ’，２０ａ，２０ｂ，２０ｂ’の上部および判断部８とを耐熱・絶縁性ハウジング１５にて保持したレアショート判断機能付き多極型ヒューズである。
【００１２】
また、本発明の第４は、前記第２の発明に係るレアショート判断機能付き多極型ヒューズ素子二つを、それぞれの多極型端子２，２０とオス端子群４が同一平面上にて外方を向くように配置し、両多極型ヒューズにおける各オス端子４ａ，４ｂ，４ｂ’，４０ｂ，４０ｂ’，４ｃの内、電源用オス端子４ａ上部の接続部５ａを判断回路８の電源供給端子８ａと接続し、遮断信号用オス端子４ｂ上部の接続部５ｂを判断部８の継電器１７ａに対する異常判断出力端子８ｂと接続し、アース用オス端子４ｃ上部の接続部５ｃを判断部８のアース端子８ｃと接続し、導電端子２ａ，２ｂ，２ｂ’上部の薄肉状の接続片３ａ，３ｂ，３ｂ’をぞれぞれ判断部８の入力端子８ｅ，８ｄ，８ｄ’と接続すると共に、他の各オス端子４ｂ’，４０ｂ，４０ｂ’上部の接続部５ｂ’，５０ｂ，５０ｂ’をそれぞれ判断回路８の継電器１７ａ，１７ｂ，１７ｃに対する異常判断出力端子８ｂ’，８０ｂ，８０ｂ’と接続し、導電端子２０ａ，２０ｂ，２０ｂ’の上部の薄肉状の接続片３０ａ，３０ｂ，３０ｂ’をそれぞれ判断部８の入力端子８０ｅ，８０ｄ，８０ｄ’と接続し、前記二つの多極型ヒューズ素子の各オス端子４ａ，４ｂ，４ｂ’，４０ｂ，４０ｂ’，４ｃの上部と各導電端子２ａ，２ｂ，２ｂ’，２０ａ，２０ｂ，２０ｂ’の上部および判断部８とを一つの耐熱・絶縁性ハウジング１５にて保持したレアショート判断機能付き多極型ヒューズである。
【００１３】
また、本発明の第５は、前記第２の発明に係るレアショート判断機能付き多極型ヒューズ素子において、それぞれ外方を向いている多極型端子２，２０とオス端子群４が、下方にほぼ直角に折り曲げられて差込式端子に形成され、または、下方にほぼ直角に折り曲げた後その先端部を外方に向けて水平に折り曲げて形成されているレアショート判断機能付き多極型ヒューズ。
【００１４】
また、本発明の第６は、前記第３の発明に係るレアショート判断機能付き多極型ヒューズの連続製造方法であって、長手方向に沿って一側部または中央部あるいは両側部に所定幅の薄肉部１９を形成した１枚の導電板からなる長尺状ヒューズ材料１８を間欠的に移送しつつ所定長さに打ち抜くに際し、左右一対の多極型端子２および２０における導電端子２ａ，２ｂ，２ｂ’および２０ａ，２０ｂ，２０ｂ’とその中間の６本のオス端子４ａ，４ｂ，４ｂ’，４０ｂ，４０ｂ’，４ｃからなるオス端子群４を、長尺状ヒューズ材料１８の他側部または両側部あるいは中央部から、他側端縁または両側端縁あるいは中央部の非打抜部分１８ａを除いて長手方向と直交する方向に同時に打ち抜き、続いて、前記両多極型端子２，２０上部の薄肉状溶断部１，１’および１０，１０’と薄肉状の各接続片３ａ，３ｂ，３ｂ’ならびに３０ａ，３０ｂ，３０ｂ’と共に、前記オス端子群４上部の薄肉状の接続部５ａ，５ｂ，５ｂ’，５０ｂ，５０ｂ’，５ｃを長尺状ヒューズ材料１８の薄肉部１９から同時または数回に分けて打ち抜き、前記オス端子群４上方の薄肉状の接続部５ａ，５ｂ，５ｂ’，５０ｂ，５０ｂ’，５ｃと前記両多極型端子２，２０上部の薄肉状の接続片３ａ，３ｂ，３ｂ’，３０ａ，３０ｂ，３０ｂ’との間をレアショートを判断する判断部８を介して連結し、前記オス端子群４の上部と前記両多極型端子２，２０の上部および前記判断部８とを一つの耐熱・絶縁性ハウジング１５にて包むように保持した後、各端子間の下端部を繋いでいる長尺状ヒューズ材料１８の他側端縁または両側端縁あるいは中央部の非打抜部分１８ａを打ち抜いて分離するレアショート判断機能付き多極型ヒューズの連続製造方法である。
【００１５】
【発明の実施の形態】
以下、本発明の一実施例の形態を図に基づき説明する。
図１は、本発明に係るレアショート判断機能付き多極型ヒューズを示すもので、（Ａ）は中央縦断正面図であり、（Ｂ）は（Ａ）のＸ−Ｘ断面図である。
【００１６】
本発明に係るレアショート判断機能付き多極型ヒューズ素子（以下単に「ヒューズ素子」と略称する）ｆは、図１の（Ａ）（Ｂ）に示す形態のものである。
図中２は左側の多極型端子で、この多極型端子２は、同一平面上に配置された３本の導電端子２ａ，２ｂ，２ｂ’の上部間をそれぞれヒューズの通電容量に応じた薄肉状溶断部１，１’にて導通状態に連結すると共に、該３本の導電端子２ａ，２ｂ，２ｂ’の上部の異なる位置からそれぞれ薄肉状の接続片３ａ，３ｂ，３ｂ’を右側方に張り出させた形態のものである。
【００１７】
この多極型端子２においては、導電端子２ａ，２ｂ間と導電端子２ａ，２ｂ’間において二つの負荷に対するヒューズの役割を果たすものである。
【００１８】
図中２０は右側の多極型端子で、この多極型端子２０は、前記左側の多極型端子２と同じく、同一平面上に配置された３本の導電端子２０ａ，２０ｂ，２０ｂ’の上部間をそれぞれヒューズの通電容量に応じた薄肉状溶断部１０，１０’にて導通状態に連結すると共に、該３本の導電端子２０ａ，２０ｂ，２０ｂ’の上部の異なる位置から薄肉状の接続片３０ａ，３０ｂ，３０ｂ’を左側方に張り出させた形態のもので、前記左側の多極型端子２と対称型のものである。
【００１９】
この多極型端子２０においても、導電端子２０ａ，２０ｂ間と導電端子２０ａ，２０ｂ’間において二つの負荷に対するヒューズの役割を果たすものである。
【００２０】
なお、図中６は各導電端子の上部に設けられたハウジング１５との係止用打抜孔である。
【００２１】
図中４は中央部に配置された細幅状のオス端子群で、このオス端子群４は、１本の電源用オス端子４ａ、４本の遮断信号用オス端子４ｂ，４ｂ’，４０ｂ，４０ｂ’および１本のアース用オス端子４ｃの６本からなり、各オス端子の上部はそれぞれ薄肉状の接続部５ａ，５ｂ，５ｂ’，５０ｂ，５０ｂ’および５ｃに形成されている。
【００２２】
このオス端子群４の内、４本の遮断信号用オス端子４ｂ，４ｂ’，４０ｂ，４０ｂ’は、図２に示すように、それぞれ四つの負荷Ａ，Ｂ，Ｃ，Ｄ（図４参照）に対応して設けられる各継電器１７ａ，１７ｂ，１７ｃ，１７ｄと接続される。
【００２３】
なお、図中７は各オス端子の上部に設けられたハウジング１５との係止用凸部である。
【００２４】
図中８は中央上部の判断部で、この判断部８には図２に示すように、四つの同じ構成の比較部Ａ，Ｂ，Ｃ，Ｄをそれぞれ独立状に備えており、各比較部は、図中の比較部Ａにて示すように、比較回路２１、タイマ２２、カウンタメモリ２３、異常判断回路２４から構成され、比較回路２１の入力端子８ｅ，８ｄは前記導電端子２ａ，２ｂ上部の薄肉状接続片３ａ，３ｂと接続され、また、異常判断回路２４の異常判断出力端子８ｂは遮断信号用オス端子４ｂ上部の薄肉状の接続部５ｂと接続され、判断部８の電源供給端子８ａは遮断信号用オス端子４ａ上部の薄肉状の接続部５ａと接続され、アース端子８ｃはアース用オス端子４ｃ上部の薄肉状の接続部５ｃと接続されている。
【００２５】
この比較部Ａでは、
（ａ）比較回路２１にヒューズの薄肉状接続片３ａ，３ｂにて検出した信号（電位差）を取り入れ、比較回路２１に記憶されている異常レベルと比較する。
（ｂ）タイマ２２により一定時間毎に異常か否かを比較し、異常レベルを越えた信号の数をカウントしてその数をカウンタメモリ２３に記憶する。
（ｃ）異常判断回路２４により一定時間内におけるカウント数を見て、所定のカウント数以上なら異常と判断し、異常判断出力端子８ｂより異常信号を出力して負荷Ａに対する継電器１７ａを作動させる。
【００２６】
従って、前記の接続状態において、導電端子２ａ，２ｂ間における一つの負荷Ａに対しては比較部Ａが、導電端子２ａ，２ｂ’間における一つの負荷Ｂに対しては比較部Ｂが、導電端子２０ａ，２０ｂ間における一つの負荷Ｃに対しては比較部Ｃが、導電端子２０ａ，２０ｂ’間における一つの負荷Ｄに対しては比較部Ｄが、それぞれの負荷に対するレアショート判断機能付きヒューズの役割を果たすことになる。
【００２７】
一方、導電端子２ｂ’上部の薄肉状接続片３ｂ’は、比較部Ｂにおける入力端子８ｄ’を経て、前記比較部Ａと同じ構成の比較部Ｂ内の比較回路２１と接続され、導電端子２ａと２ｂ’間における負荷Ｂに対しても、ヒューズがレアショートを検出した場合には、この比較部Ｂ内の各部の作用により、異常判断出力端子８ｂ’から異常信号を出力し、遮断信号用オス端子４ｂを介して継電器１７ｂを作動させる。
【００２８】
このことは、右側の導電端子２０ａ，２０ｂ，２０ｂ’からなる多極型端子２０についても同じことで、導電端子２０ａ，２０ｂ間の負荷Ｃに対する出力を異常判断出力端子８０ｂから遮断信号用オス端子４０ｂを介して継電器１７ｃと接続し、同じく導電端子２０ａ，２０ｂ’間の負荷Ｄに対する出力を異常判断出力端子８０ｂ’から遮断信号用オス端子４０ｂ’を介して継電器１７ｄと接続することにより、Ａ，Ｂ，Ｃ，Ｄいずれの負荷に対してレアショートを検出した場合でも前記判断部８における比較部Ａ，Ｂ，Ｃ，Ｄのいずれかにて異常信号を出力し、異常の発生した負荷の継電器１７を作動させることができる。
【００２９】
本発明に係るヒューズ素子ｆの製造方法としては、図６（Ａ）に示すように、長手方向に沿って一側部（左側部）に一定幅の薄肉部１９を切削により形成した１枚の亜鉛（Ｚｎ）合金製導電板からなる長尺状ヒューズ材料１８を間欠的に移送しつつ、この長尺状ヒューズ材料１８から、図５（Ａ）に示すように、第１工程として、前記左右一対の多極型端子２および２０における導電端子２ａ，２ｂ，２ｂ’および２０ａ，２０ｂ，２０ｂ’とその中間の６本のオス端子群４における各オス端子４ａ，４ｂ，４ｂ’，４０ｂ，４０ｂ’，４ｃを、長尺状ヒューズ材料１８の他側部（右側部）から、他側（右側）端縁の非打抜部分１８ａを除いて長手方向と直交する方向に同時に打ち抜く。
【００３０】
なお、前記の非打抜部分１８ａは、多極型端子２および２０と６本のオス端子群４の分散を防ぐと共に長尺状ヒューズ材料１８の連結状態を維持する役割を果たすものであり、１８ｂは、長尺状ヒューズ材料１８における各多極型ヒューズ素子の境界部に打ち抜きにより設けられるパイロット穴で、長尺状ヒューズ材料１８の送りの基準となるものである。
【００３１】
第２工程として、前記両多極型端子２，２０上部の薄肉状溶断部１，１’および１０，１０’と薄肉状の各接続片３ａ，３ｂ，および３０ａ，３０ｂを長尺状ヒューズ材料１８の薄肉部１９から同時に打ち抜く。
【００３２】
第３工程として、接続片３ｂ’，３０ｂ’と共に、前記６本のオス端子群４上部の薄肉状の接続部５ａ，５ｂ，５ｂ’，５０ｂ，５０ｂ’，５ｃを長尺状ヒューズ材料１８の薄肉部１９から同時に打ち抜く。
【００３３】
第４工程として、前記６本のオス端子群４上方の薄肉状の接続部５ａ，５ｂ，５ｂ’，５０ｂ，５０ｂ’，５ｃと前記両多極型端子２，２０上部の薄肉状の接続片３ａ，３ｂ，３ｂ’，３０ａ，３０ｂ，３０ｂ’との間を別体にて形成されたレアショートを判断する判断部８を介して連結することにより一つのヒューズ素子ｆが形成される。
【００３４】
第５工程として、前記６本のオス端子群４の上部と前記両多極型端子２，２０の上部および前記判断部８とを、１５ａと１５ｂの一対からなる二つ割り状の耐熱・絶縁性ハウジング１５にて包むように保持する。
【００３５】
最終工程として、前記、各端子間の下端部を繋いでいる長尺状ヒューズ材料１８の右側端縁の非打抜部分１８ａを打ち抜いて分離し、図５（Ｂ）に示すような一つのレアショート判断機能付き多極型ヒューズＦを製作する。
【００３６】
なお、前記の第２工程と第３工程を一工程として同時に打ち抜いてもよく、また、第５工程にて前記右側端縁の非打抜部分１８ａを打ち抜いて一つの多極型ヒューズ素子ｆを分離した後、最終工程としてハウジング１５を設けてもよい。
【００３７】
また、長尺状ヒューズ材料１８の形態として、図６の（Ｂ）や（Ｃ）に示すように、図６の（Ａ）の形態のものを長手方向の縁部に沿って二枚突き合わせた形態とし、これを間欠的に移送しつつ前記と同様の工程により各端子部を打ち抜けば二倍の速度にて多極型のヒューズ素子ｆが製作できる。
【００３８】
すなわち、図６（Ｂ）の形態の長尺状ヒューズ材料１８は、図６（Ａ）の形態のヒューズ材料における薄肉部１９の長手方向端縁部を二枚突き合わせた形態のもので、この長尺状ヒューズ材料１８を使用すれば、図７に示すような二つの多極型ヒューズ素子ｆを背合わせ状に配置した形態のものが同時に製作できるので、この二つの多極型ヒューズ素子ｆを中央にて分離してもよいし、また、分離せずに中央部に両素子共通のハウジング１５を設けて、図７に示すような、左右の外方に多極型端子２，２０とオス端子群４を張り出したレアショート判断機能付き多極型ヒューズＦが製作できる。
【００３９】
また、図６（Ｃ）の形態の長尺状ヒューズ材料１８は、図６（Ａ）の形態のヒューズ材料における薄肉部１９とは反対側の長手方向端縁部を二枚突き合わせた形態のもので、この長尺状ヒューズ材料１８を使用すれば、二つの多極型ヒューズ素子ｆを向き合わせ状（多極型端子２，２０とオス端子群４を中央部にて突き合わせた状態）に配置した形態のものが同時に製作できるので、この二つの多極型ヒューズ素子ｆを中央にて分離することにより、同時に二倍の速度にて多極型のヒューズ素子ｆが製作できる。
【００４０】
なお、図８（Ａ）は、図７に示す形態の多極型ヒューズＦの側面図で、左右に張り出した多極型端子２，２０とオス端子群４に対して、これと対応するコネクター（図せず）を嵌め込んで使用することができ、また、図８（Ｂ）は、図７に示す形態の多極型ヒューズＦにおける左右に張り出した多極型端子２，２０とオス端子群４を下方にほぼ直角に折り曲げて差込式端子に形成たもので、この形態の多極型ヒューズＦにおいては、配線基板に当該多極型ヒューズＦの多極型端子２，２０とオス端子群４と対応して設けたヒューズのメス部材（図せず）に差し込んで使用することができ、さらに、図８（Ｃ）は、前記図８（Ｂ）に示す形態の多極型ヒューズＦにおける下方への折り曲げ部の先端部をさらに外方に向けて水平に折り曲げたもので、この形態の多極型ヒューズＦにおいては、配線基板上に設置してこれと対応して設けた端子にハンダ付けにより固定することができる。
【００４１】
ハウジング１５は、図１（Ｂ）に示すように、１５ａと１５ｂの一対からなる二つ割り状のものであり、一方のハウジング１５ｂの内面には外周部を残して広い凹部９が設けられ、外周部下方の左右には前記各導電端子２ａ，２ｂ，２ｂ’および２０ａ，２０ｂ，２０ｂ’上部の各係止用支持孔６が嵌まるボス１２を中央に有する窪み１１を設けると共に、同じく下方の中央部には前記６本の各薄肉状オス端子４ａ，４ｂ，４ｂ’，４０ｂ，４０ｂ’，４ｃ上方の係止用凸部７が嵌まる係止用凹部１３が設けられている。
【００４２】
また、他方のハウジング１５ａの内面は、図１（Ｂ）に示すように、前記６本の各導電端子と６本の薄肉状オス端子および判断部８を備えたヒューズ素子ｆの判断部８が、一方のハウジング１５ｂとの間でガタツクことなく挟持するように形成されているもので、この両ハウジング１５ａと１５ｂは接着または嵌合手段（図示せず）により一体化されるものである。
【００４３】
本発明に係るレアショート判断機能付き多極型ヒューズＦは、端子台に設けられた前記左右の多極型端子２および２０の挿入可能なヒューズ用メス端子と中央部の６本の薄肉状オス端子群４の挿入可能な電源供給用メス端子、アース用メス端子および各負荷Ａ，Ｂ，Ｃ，Ｄに対応させて連結されている四つの信号検出用メス端子（図示せず）に挿入される。
【００４４】
図３は、本発明に係るレアショート判断機能付き多極型ヒューズＦを使用した自動車の電気回路で、バッテリ１６の直後に継電器１７が設置され、その下流側の複数の各負荷Ａ，Ｂ，Ｃ，Ｄとの間に一つのレアショート判断機能付き多極型ヒューズＦが配置されたものであり、この回路の場合には、レアショート判断機能付き多極型ヒューズＦと複数の各負荷Ａ，Ｂ，Ｃ，Ｄのいずれかの間でデッドショートが起これば、従来のヒューズと同様に、レアショート判断機能付き多極型ヒューズＦの薄肉状溶断部１，１’，１０，１０’のいずれかが溶断してその回路のみが遮断される。
【００４５】
また、レアショート判断機能付き多極型ヒューズＦの薄肉状溶断部１および１’に流れる電流に対して接続片３ａ，３ｂおよび３ａ，３ｂ’より信号が常に出力されており、また、薄肉状溶断部１０，および１０’に流れる電流に対して接続片３０ａ，３０ｂおよび３０ａ，３０ｂ’より信号が常に出力されており、これらの信号は一つの判断部８に常に入力されている。
【００４６】
従って、判断部８でレアショート等の異常を検出した場合には、継電器１７に対して異常信号が出力され、バッテリー１６直後に設置された継電器１７が断（ＯＦＦ）の状態となって全回路が遮断される。
【００４７】
また、図４は、複数の各負荷Ａ，Ｂ，Ｃ，Ｄに対応してそれぞれ四つの継電器１７ａ，１７ｂ，１７ｃ，１７ｄが配置されたものであり、この回路の場合には、複数の各負荷Ａ，Ｂ，Ｃ，Ｄのいずれかにおいてデッドショートが起これば、従来のヒューズと同様にレアショート判断機能付き多極型ヒューズＦの薄肉状溶断部１，１’，１０，１０’のいずれかが溶断してその回路のみが遮断され、複数の各負荷Ａ，Ｂ，Ｃ，Ｄのいずれかにおいてレアショートが発生した場合にも継電器１７ａ，１７ｂ，１７ｃ，１７ｄのいずれかが作動して異常の発生した回路のみを遮断することができる。
【００４８】
なお、前記実施の形態においては、Ａ，Ｂ，Ｃ，Ｄ四つの負荷に対するレアショート判断機能付き多極型ヒューズとして、６本のオス端子群を挟んで左右にそれぞれ３本ずつの導電端子を配置した形態の多極型ヒューズについて説明したが、この導電端子の数は負荷の数に応じて３本以上としてもよく、その場合にはオス端子の数についても導電端子の数に応じて増やせばよい。
【００４９】
すなわち、前記実施の形態にて示した部品の構成、配置およびレアショートを判断するロジック等は特に限定されるものではなく、多様性があることは言うまでもない。
【００５０】
【作用】
本発明に係るレアショート判断機能付き多極型ヒューズＦにおいては、デッドショート時には、従来のヒューズと同様にヒューズ素子の薄肉状溶断部１，１’，１０，１０’のいずれかが溶断し、一方、ヒューズ素子の薄肉状溶断部が溶断しない程度のレアショートの発生時には、ヒューズ素子の薄肉状溶断部１，１’，１０，１０’が電流検知センサーとして機能し、ヒューズ素子の薄肉状溶断部に流れる電流（実際にはヒューズ素子の両端にかかる電圧）を判断部８に入力し、この判断部８にて異常か否かを判断し、異常の場合は異常信号を出力してそれぞれの継電器１７にて遮断する。
【００５１】
なお、ヒューズはＪＡＳＯ  Ｄ６１２に規定されている通り、一定の電流で、一定の時間内に溶断するように規定されており、この規定を満たすべく溶断部の寸法管理はもちろんのこと、抵抗値においてもそのバラツキは±３％であって、本発明におけるヒューズ素子は電流検知センサーとして十分使用できる。
【００５２】
【発明の効果】
本発明によれば、複数の各負荷に対するヒューズ機能と複数の各負荷に対するレアショートを判断する複数の比較部を備えた一つの判断部を一つのヒューズ内に一体的に兼ね備えたことで、コンパクトなレアショート判断機能付き多極型ヒューズが安価に提供でき、各負荷毎に判断部（判断回路）の設置を必要としないため経済的である。
【００５３】
さらに、本来ヒューズとして作用する薄肉状溶断部を電流検知センサーとして利用することで、特別に電流センサーを必要としない。
【００５４】
また、左右の複数の導電端子の下半部内側に検出端子を配置したことで、ヒューズ素子形成の際の材料取りに無駄がなく、また、判断部をも扁平状としてヒューズ素子と平行に沿わせて設けたことで、従来のヒューズの外観寸法よりやや厚い程度の寸法内で作製することができる。
【００５５】
また、本発明に係るレアショート判断機能付き多極型ヒューズにおいては、従来のヒューズの機能も備えているため、継電器、半導体リレー等のショート故障に対しても従来通り有効に作動するので回路の保護が可能である。
【図面の簡単な説明】
【図１】本発明に係るレアショート判断機能付き多極型ヒューズを示すもので（Ａ）は縦断正面図、（Ｂ）は（Ａ）のＸ−Ｘ断面図。
【図２】本発明に係るレアショート判断機能付き多極型ヒューズにおける判断部の判断ロジックの一例。
【図３】本発明に係るレアショート判断機能付き多極型ヒューズを複数の負荷と一つの継電器との間に使用した自動車の電気回路の一例。
【図４】本発明に係るレアショート判断機能付き多極型ヒューズを複数の負荷に対応して配置された複数の継電器とバッテリーとの間に使用した自動車の電気回路の他の一例。
【図５】本発明に係るレアショート判断機能付き多極型ヒューズの製造工程を示すもので（Ａ）は連結状態の平面図、（Ｂ）は完成品の平面図。
【図６】本発明に係るレアショート判断機能付き多極型ヒューズの製造に使用可能な各種形態のヒューズ材料の部分斜視図。
示すもので（Ａ）は縦断正面図、（Ｂ）は縦断側面図。
【図７】二つの多極型ヒューズ素子を背合わせ状に配置した本発明に係るレアショート判断機能付き多極型ヒューズの縦断正面図。
【図８】図７に示す本発明に係るレアショート判断機能付き多極型ヒューズにおける端子部の各種形態を示す側面図。
【図９】従来のレアショート判断機能付きヒューズを示すもので（Ａ）は縦断正面図、（Ｂ）は縦断側面図。
【図１０】従来のレアショート判断機能付きヒューズを使用した自動車の電気回路の一例。
【図１１】従来のレアショート判断機能付きヒューズを使用した自動車の電気回路の一例。
【符号の説明】
１，１０  薄肉状溶断部
２，２０  多極型端子
２ａ．２ｂ，２０ａ，２０ｂ  導電端子
３，３０  薄肉状の接続片
４ａ  電源用オス端子
４ｂ  遮断信号用オス端子
４ｃ  アース用オス端子
５ａ  電源用オス端子の上端部
５ｂ  遮断信号用オス端子の上端部
５ｃ  アース用オス端子の上端部
６  係止用打抜孔
７  係止用凸部
８  判断部
８ａ  電源供給端子
８ｂ，８０ｂ  異常判断出力端子
８ｃ  アース端子
８ｄ，８ｅ，８０ｄ，８０ｅ  入力端子
９  凹部
１１  窪み
１２  ボス
１３  係止用凹部
１５  ハウジング
１７  継電器
１８  長尺状ヒューズ材料
１８ａ  非打抜部分
１９  薄肉部
Ｆ  レアショート判断機能付き多極型ヒューズ
ｆ  レアショート判断機能付き多極型ヒューズ素子
【図１】
0003978631.tif 000002
【図２】
0003978631.tif 000003
【図３】
0003978631.tif 000004
【図４】
0003978631.tif 000005
【図５】
0003978631.tif 000006
【図６】
0003978631.tif 000007
【図７】
0003978631.tif 000008
【図８】
0003978631.tif 000009
【図９】
0003978631.tif 000010
【図１０】
0003978631.tif 000011
【図１１】
0003978631.tif 000012